(57)【要約】    【課題】  薄手の装飾シートを使用して装飾パネルを構成できると共に、装飾シートを除く他の構成部材を複数種類の機種に兼用でき、装飾パネルの製作コストを極力低減できるようにする。    【解決手段】  発光手段４２の前側に装飾パネル２２を着脱自在に備えている。装飾パネル２２は、所定の装飾が施された薄肉状の装飾シート５８と、光透過性を有し且つ装飾シート５８を前側から保護する前保護カバー５９と、光透過性を有し且つ装飾シート５８を裏側から押えて前保護カバー５９との間で装飾シート５８を着脱自在に挟持する裏押え板６０とを備えている。【選択図】    図４
2007307292.tif 000002
【特許請求の範囲】
【請求項１】
発光手段（４２）の前側に装飾パネル（２２）を着脱自在に備えた遊技機において、前記装飾パネル（２２）は、所定の装飾が施された薄肉状の装飾シート（５８）と、光透過性を有し且つ前記装飾シート（５８）を前側から保護する前保護カバー（５９）と、光透過性を有し且つ前記装飾シート（５８）を裏側から押えて前記前保護カバー（５９）との間で該装飾シート（５８）を着脱自在に挟持する裏押え板（６０）とを備えたことを特徴とする遊技機。
【請求項２】
前記前保護カバー（５９）の後外周に外枠部（５９ｂ）を、前記裏押え板（６０）の後外周に、前記外枠部（５９ｂ）に着脱自在に嵌合する内枠部（６０ｂ）を夫々備え、前記前保護カバー（５９）と前記裏押え板（６０）との間に、両者の嵌合時に係脱自在に係合する係合手段（６３）を備えたことを特徴とする請求項１に記載の遊技機。
【請求項３】
前記係合手段（６３）は、前記前保護カバー（５９）と前記裏押え板（６０）との何れか一方の外周側から後側に突出する弾性片（６３ｂ）と、該弾性片（６３ｂ）に形成された被係合部（６３ｃ）と、他方の前記枠部（６０ｂ）に形成され且つ前記被係合部（６３ｃ）に係脱自在に係合する係合部（６３ｄ）とを備え、前記弾性片（６３ｂ）と前記枠部（６０ｂ）との少なくとも一方に、前記弾性片（６３ｂ）を離脱方向に弾性変形させるための所要部材を挿入可能に挿入案内部（６３ｆ）を設けたことを特徴とする請求項２に記載の遊技機。
【請求項４】
前面パネル（３）の前側に、前記装飾パネル（２２）が着脱自在に嵌合する開口部（４１）を有する前カバー（２３）を装着し、前記装飾パネル（２２）の上下方向の一方の係合突起（６１）（６２）を前記前カバー（２３）の係合凹部（６７）に係脱自在に係合し、他方の係合爪（６４）を前記前面パネル（３）の係合部（７０）に係脱自在に係合したことを特徴とする請求項１〜３の何れかに記載の遊技機。
【発明の詳細な説明】
【技術分野】
【０００１】
本発明は、スロットマシン等の遊技機、取り分けその前面パネルの操作パネル部の下側に配置された装飾パネルの改良に関するものである。
【背景技術】
【０００２】
スロットマシン等の遊技機では、筐体の前側に開閉自在に装着された前面パネルの上下方向の中間に、各種の操作ボタンが設けられた操作パネル部を配置すると共に、この操作パネル部の上側に、複数個の図柄表示リールを有する表示リールユニット等の遊技図柄表示手段に対応する表示窓を配置し、下側に装飾パネルを着脱自在に配置している（特許文献１）。
【０００３】
装飾パネルは、従来、装飾画像が印刷された化粧板を用い、矩形枠状の外枠体と、この外枠体の後側に着脱自在に嵌合する矩形枠状の内枠体との間に化粧板を介在して、これらの両枠体により化粧板をその外周側で前後両側から挟持するように構成している。
【特許文献１】特開２００６−９４９２８号公報
【発明の開示】
【発明が解決しようとする課題】
【０００４】
この種の装飾パネルでは、その化粧板を交換可能であるため、各機種毎に化粧板を製作すれば、外枠体、内枠体を複数の機種に兼用することができ、各機種別に装飾パネルを製作する場合に比較してコストを低減できる利点がある。
【０００５】
しかし、従来の装飾パネルは、化粧板の外周部分を矩形枠状の外枠体と内枠体とによって前後両側から挟持する構造を採用している。このため板厚の薄い化粧板を使用すれば、悪戯、その他で装飾パネルの化粧板が損傷する惧れがあることから、十分な強度を有する厚板材により構成された化粧板を使用する必要がある。従って、装飾パネルを構成する複数の部材の内、外枠体及び内枠体は複数種類の機種に兼用できるとは云うものの、化粧板の製作コストを十分に低減できないという欠点がある。
【０００６】
本発明は、このような従来の問題点に鑑み、薄手の装飾シートを使用して装飾パネルを構成できると共に、装飾シートを除く他の構成部材を複数種類の機種に兼用でき、装飾パネルの製作コストを極力低減できる遊技機を提供することを目的とする。
【課題を解決するための手段】
【０００７】
本発明は、発光手段４２の前側に装飾パネル２２を着脱自在に備えた遊技機において、前記装飾パネル２２は、所定の装飾が施された薄肉状の装飾シート５８と、光透過性を有し且つ前記装飾シート５８を前側から保護する前保護カバー５９と、光透過性を有し且つ前記装飾シート５８を裏側から押えて前記前保護カバー５９との間で該装飾シート５８を着脱自在に挟持する裏押え板６０とを備えたものである。
【発明の効果】
【０００８】
本発明では、薄手の装飾シート５８を使用して装飾パネル２２を構成できると共に、装飾シート５８を除く他の構成部材を複数種類の機種に兼用でき、装飾パネル２２の製作コストを極力低減できる利点がある。
【発明を実施するための最良の形態】
【０００９】
以下、本発明の実施形態を図面に基づいて詳述する。図１〜図１４は本発明をスロットマシンとして具現化した第１の実施例を例示している。図１及び図２において、１は遊技機本体であり、筐体２と、この筐体２の前側に配置された矩形状の前面パネル３とを備えている。筐体２は前側が開放する箱形に形成されており、その前側を開閉自在に閉鎖するように前面パネル３が装着されている。
【００１０】
筐体２内には、図２に示すように、上部に左右方向に複数個の図柄表示リール５ａ〜５ｃを有する表示リールユニット６が配置され、下部にメダル払い出し装置７、メダル補助ケース８、電源基板ケース９が配置され、上下方向の中間に主制御基板ケース１０が配置されている。表示リールユニット６は筐体２の中間棚１１上に着脱自在に装着されており、この表示リールユニット６により、複数個の遊技図柄を変動表示可能な第１の遊技図柄表示手段が構成されている。
【００１１】
メダル払い出し装置７は、図２に示すように払い出し用のメダルを貯留するメダルホッパー１２と、メダルホッパー１２内のメダルを払い出すメダル払い出し手段１３と、メダルホッパー１２から溢れたメダルをメダル補助ケース８側に排出する余剰メダル排出口１４等を備え、底板１５上に着脱自在に装着されている。
【００１２】
前面パネル３は、図３に示すように骨格体を構成するパネル体１６を備え、そのパネル体１６が左右一端側のヒンジ手段（図示省略）を介して筐体２に開閉自在に装着されている。前面パネル３の上部側には、上下に配置された第１表示窓１７及び第２表示窓１８と、これらの左右両側に配置された縦長状の演出ランプ１９とが設けられている。また前面パネル３の上下方向の中間部に、上操作パネル部２０、前操作パネル部２１、装飾パネル２２を有する前カバー２３が配置され、下部にメダル排出口２４、メダル受け皿２５、灰皿２６、スピーカ２７等が配置されている。
【００１３】
第１表示窓１７は、筐体２側の図柄表示リール５ａ〜５ｃに対応して矩形状に形成されており、遊技者はこの第１表示窓１７を介して図柄表示リール５ａ〜５ｃを前側から視認可能となっている。第２表示窓１８は、前面パネル３の裏側に装着された液晶表示ユニット（図示省略）の表示画面２８に対応して、第１表示窓１７よりも大型の矩形状に形成されており、遊技者はこの第２表示窓１８を介して表示画面２８を前側から視認可能となっている。
【００１４】
なお、液晶表示ユニットは、複数個の遊技図柄を変動表示可能な第２の遊技図柄表示手段と、その他の演出図柄、遊技図柄等を可変表示する表示手段とを兼用しているが、その何れか一方を専用するものでもよい。また液晶表示ユニットに代えて表示リールユニット６を設けてもよい。
【００１５】
上操作パネル部２０は前下りに傾斜し且つ左右方向に長い横長状であり、この上操作パネル部２０には、その左右方向の一端側に１ベットボタン２９、マックスベットボタン３０及びキャンセルボタン３１が設けられ、他端側に遊技媒体としてのメダルを投入可能なメダル投入口手段３３が設けられている。１ベットボタン２９、マックスベットボタン３０は、メダル投入口手段３３へのメダル投入に代えてクレジットからメダルをベットするためのものである。
【００１６】
前操作パネル部２１には、図柄表示リール５ａ〜５ｃの回転を開始させるためのスタートレバー３４、回転中の図柄表示リール５ａ〜５ｃを夫々個別に停止させるためのストップボタン３５ａ〜３５ｃ、メダル投入口手段３３内に詰まったメダルを返却させるための返却ボタン３６等が設けられている。
【００１７】
前カバー２３は前面パネル３の表示窓１７，１８側よりも前側に張り出しており、図３〜図６に示すように中央が前側へと緩やかな円弧状に張り出す略垂直な張り出し部３７と、この張り出し部３７の左右両側から後側に湾曲する外湾曲部３９と、張り出し部３７の上端から第２表示窓１８の下側へと後上がりに傾斜する上傾斜部４０と、張り出し部３７の下端から下側へと後下がりに傾斜する傾斜部（図示省略）とを備え、パネル体１６の前側に左右複数個のネジ（図示省略）により固定されている。
【００１８】
上傾斜部４０上には左右の演出ランプ１９間に上操作パネル部２０が、張り出し部３７の上部側の前面に前操作パネル部２１が夫々設けられ、張り出し部３７に、その開口部４１及びパネル体１６側の発光手段４２に対応して装飾パネル２２が設けられている。なお、前カバー２３は、上操作パネル部２０、前操作パネル部２１を含む上部側と、これら以外の下側部とに２分割してもよい。
【００１９】
上操作パネル部２０には、その略全体を覆うように装飾パネル４３が装着されている。装飾パネル４３は、図５〜図８に示すように上傾斜部４０上に配置された薄肉状の装飾シート４４と、光透過性を有する無色透明又は着色透明なアクリル樹脂等の合成樹脂板により形成され且つ装飾シート４４を上側から保護する上保護カバー４５とから構成されている。
【００２０】
上傾斜部４０の外周には、装飾シート４４、上保護カバー４５に対応して段部４６が形成されている。装飾シート４４は可撓性又は弾性を有するポリカーボネイト樹脂シート等の透明な薄いシート材により構成され、その裏面に所定の装飾が印刷等により施されている。
【００２１】
このように装飾シート４４と上保護カバー４５とによって装飾パネル４３を構成することにより、その装飾シート４４にベットボタン２９，３０等の名称、入賞役の種類、その種類毎のメダル払い出し数等の表示の他、必要に応じて機種に固有の装飾模様、装飾画像等の適宜装飾を付して当該機種に専用の部品とし、上保護カバー４５を複数種類の機種に共通の共通部品とすることができる。
【００２２】
従って、装飾シート４４を除く他の構成部品である上保護カバー４５を共通部品とすることにより、その製作コストを低減できる。また装飾シート４４は薄肉状のシート材により構成されているから、この装飾シート４４が専用部品であるにも拘わらず、装飾パネル４３全体が専用部品である従来に比較して無駄の発生を極力少なくできる。
【００２３】
上傾斜部４０、装飾シート４４、上保護カバー４５には、図５に示すようにメダル投入口手段３３、１ベットボタン２９、マックスベットボタン３０、キャンセルボタン３１に対応して取り付け孔（又は切り欠き部）４７〜５０が形成され、その各取り付け孔４７〜５０に１ベットボタン２９、マックスベットボタン３０、キャンセルボタン３１、メダル投入口手段３３の一部を上側から挿入して取り付けることにより、装飾パネル４３が上傾斜部４０に固定されている。このため装飾パネル４３が装飾シート４４、上保護カバー４５により構成されているにも拘わらず、装飾パネル４３専用の特別な固定手段を設ける必要がなく、構造を簡単にできる。
【００２４】
メダル投入口手段３３は図７に示すように、上保護カバー４５上に当接するメダル案内部５１と、このメダル案内部５１から下側に突出し且つ取り付け孔５０に挿入されるメダル通路部５２とを有する。そして、メダル投入口手段３３はメダル通路部５２を取り付け孔５０に挿入して、上傾斜部４０の下側でそのメダル通路部５２の左右両側に形成された取り付け部５３に後側からネジ５５を挿入してパネル体１６の固定部５４に螺合することにより、装飾パネル４３を押えた状態で上操作パネル部２０に固定されている。
【００２５】
１ベットボタン２９、キャンセルボタン３１は図９に示すように、取り付け孔４７，４９に挿入される本体部２９ａ，３１ａと、この本体部２９ａ，３１ａの上側に設けられ且つ上保護カバー４５に上側から当接する鍔部２９ｂ，３１ｂと、本体部２９ａ，３１ａの外周に一体に形成され且つ取り付け孔４７，４９に挿入したときに上傾斜部４０に下側から係合する一対の係止爪２９ｃ，３１ｃとを有する。そして、１ベットボタン２９、キャンセルボタン３１は、本体部２９ａ，３１ａ側を取り付け孔４７，４９に挿入して係止爪２９ｃ，３１ｃを上傾斜部４０の下側に係合させることにより、装飾パネル４３を押えた状態で上操作パネル部２０に固定されている。
【００２６】
マックスベットボタン３０は図８に示すように、取り付け孔４８に挿入される本体部３０ａと、この本体部３０ａの上側に設けられ且つ上保護カバー４５に上側から当接する鍔部３０ｂと、上傾斜部４０の下側で本体部３０ａの外周のネジ部３０ｃに螺合するナット体３０ｄとを有し、本体部３０ａを取り付け孔４７〜５０に挿入してネジ部３０ｃにナット体３０ｄを螺合することにより、装飾パネル４３を押えた状態で上操作パネル部２０に固定されている。
【００２７】
前カバー２３の装飾パネル２２は、図４〜図６、図１０〜図１２に示すように横長矩形状であって、所定の装飾が施されたポリカーボネイト樹脂シート等の薄肉状の装飾シート５８と、光透過性を有する透明なアクリル樹脂等の合成樹脂板により形成され且つ装飾シート５８を前後両側から着脱自在に挟持する前保護カバー５９及び裏押え板６０とを備え、その下部側が左右一対の係合突起６１，６２を介して前カバー２３の開口部４１の下縁側に、上側が左右一対の係合爪６４を介してパネル体１６に夫々着脱自在に係止されている。
【００２８】
このような構成の装飾パネル２２を使用すれば、前保護カバー５９と裏押え板６０とにより前後両側から装飾シート５８を挟持しているため、開口部４１に前側から嵌合した状態で装着しているにも拘わらず、装飾シート５８として薄手のシート材を使用しながら装飾パネル２２を構成できる。従って、装飾シート５８を除く前保護カバー５９、裏押え板６０を複数種類の機種に兼用でき、装飾パネル２２の製作コストを極力低減できる利点がある。
【００２９】
装飾シート５８は可撓性又は弾性を有する透明な薄いシート材により構成され、その裏面に所定の装飾が印刷等により施されている。なお、装飾シート５８に施される装飾としては、その機種を特定可能な名称、その他の文字、その機種に固有の装飾図柄、装飾画像等がある。その他の遊技情報を表示してもよい。
【００３０】
前保護カバー５９は装飾シート５８を前側から保護するもので、張り出し部３７の湾曲形状に対応して緩やかな円弧状に湾曲する矩形板状の保護部５９ａと、この保護部５９ａの後外周側から後側に屈曲し突出する外枠部５９ｂとを有する。
【００３１】
裏押え板６０は前保護カバー５９との間で装飾シート５８を裏側から押えるもので、前保護カバー５９の保護部５９ａの湾曲形状に対応して緩やかな円弧状に湾曲し且つ前保護カバー５９の外枠部５９ｂ内に裏側から嵌合可能な矩形板状の押え部６０ａと、この押え部６０ａの後外周側から後側に屈曲し突出する内枠部６０ｂとを有し、この内枠部６０ｂの後端外周に、外枠部５９ｂの後端が当接する突条部６０ｃが形成されている。
【００３２】
このような構造の前保護カバー５９と裏押え板６０は、前保護カバー５９の裏側に裏押え板６０が嵌合した状態で係合手段６３により結合されている。従って、取り扱いに際しては、装飾パネル２２それ自体を１個の単体として取り扱うことができる。
【００３３】
係合手段６３は装飾パネル２２の上下の左右両側に夫々設けられており、図１２、図１４にも示すように、前保護カバー５９の外枠部５９ｂに形成された左右の切り込み部６３ａ間で保護部５９ａから後側に突出する弾性片６３ｂと、この弾性片６３ｂに形成された孔等の被係合部６３ｃと、裏押え板６０の内枠部６０ｂの外側に突出して形成された係合部６３ｄとを有し、前保護カバー５９に裏押え板６０を嵌合したときに係合部６３ｄが被係合部６３ｃに係脱自在に係合するようになっている。このため装飾パネル２２の組み立てを容易に行うことができる。弾性片６３ｂは突条部６０ｃの後端と略一致する長さであり、突条部６０ｃは弾性片６３ｂに対応する部分に切欠き部６３ｅが設けられている。
【００３４】
内枠部６０ｂには、弾性片６３ｂを離脱方向に弾性変形させるための所要部材を挿入できるように挿入案内部６３ｆが弾性片６３ｂに対応して設けられている。所要部材は、指の爪先、ドライバー等であり、これを挿入案内部６３ｆに挿入したときに、弾性片６３ｂが離脱方向に弾性変形して係合部６３ｄが被係合部６３ｃから離脱し、装飾パネル２２の前保護カバー５９と裏押え板６０とを分解することができる。
【００３５】
なお、挿入案内部６３ｆは上下の係合手段６３の上又は下の何れか一方側に設けてもよい。また挿入案内部６３ｆは弾性片６３ｂと内枠部６０ｂとの何れか一方、又は両方に設けてもよい。
【００３６】
係合突起６１，６２は図１１、図１３にも示すように、下辺側の係合手段６３に対して左右方向の外側に位置して左右に一対設けられ、前保護カバー５９の外枠部５９ｂ、裏押え板６０の内枠部６０ｂの下辺側後部から下方に突出するように一体に形成されている。内枠部６０ｂ側の係合突起６２は突条部６０ｃから、外枠部５９ｂの係合突起６１はその後端から若干前側寄りの位置から夫々下側に突出しており、前保護カバー５９と裏押え板６０とを嵌合させたときに、両係合突起６１，６２が前後に略当接又は近接するようになっている。そして、両係合突起６１，６２の対向面側には、その一方に嵌合溝６１ａが、他方に嵌合突部６２ａが左右方向に形成され、これらが互いに嵌合し合っている。
【００３７】
係合爪６４は係合手段６３の左右方向の外側で左右に一対設けられ、前保護カバー５９の外枠部５９ｂから後方に略真っ直ぐに突出して一体に形成されている。この係合爪６４は、係脱方向に変形可能な弾性を有し、後端側の上面に傾斜案内面６４ａを介して係合部６４ｂが設けられている。裏押え板６０の内枠部６０ｂの上辺側には、係合爪６４と干渉しないように係合爪６４に対応して凹部６０ｄが形成されている。
【００３８】
前カバー２３の開口部４１側には、装飾パネル２２が嵌合する開口部４１を形成する嵌合縁６５と、嵌合縁６５の後端から内側に屈曲し且つ装飾パネル２２の後端が当接する受け縁６６とが設けられている。そして、嵌合縁６５の下辺側には、係合突起６１，６２が係脱自在に係合する係合孔等の左右一対の係合凹部６７が設けられ、また受け縁６６の上辺側には、係合爪６４と干渉しないように係合爪６４に対応して凹部６８が形成されている。
【００３９】
パネル体１６には、図１１、図１２に示すように、開口部４１の後側に対応して後方に凹入する収容凹部６９が形成され、その収容凹部６９に発光手段４２が収容されている。発光手段４２は装飾パネル２２を後側から発光し照明するためのもので、反射板４２ａの前側に複数個の発光体４２ｂを配置して構成されている。なお、発光体４２ｂには左右方向に配置された複数本のランプが使用されている。
【００４０】
パネル体１６には、発光手段４２の上側近傍、即ち収容凹部６９の上側の傾斜部６９ａに各係合爪６４に対応して左右一対の係合孔６９ｂが形成され、この係合孔６９ｂの前縁側部分によって、係合爪６４が係脱自在に係合する係合部７０が構成されている。
【００４１】
従って、装飾パネル２２は、係合突起６１，６２を係合凹部６７に係合した状態で、係合突起６１，６２側を支点に後方へと回動させて開口部４１内に嵌め込むと、係合爪６４がパネル体１６の係合部７０に係合するため、これによって容易に固定できる。なお、装飾パネル２２を取り外す場合には、前面パネル３を開放してその裏側から係合爪６４を下方に押圧することにより、係合爪６４を係合部７０から外せばよい。
【００４２】
図１５〜図１８は本発明の第２の実施例を例示する。この実施例では、パネル体１６の収容凹部６９の上側の傾斜部６９ａの前端側に係合爪６４に対応する係合孔６９ｂと、この係合孔６９ｂの前端から下方に突出し且つ係合爪６４が係脱自在に係合する係合部７０とが形成されている。またパネル体１６の傾斜部６９ａには、係合孔６９ｂの左右両側で係合爪６４及び係合部７０の左右両端部を上側から覆うように覆い部７１が一体に形成されている。他の構成は第１の実施例と同じである。
【００４３】
このようにすれば、係合爪６４の中央部分に対応して係合部７０があり、また係合爪６４とその左右両側の傾斜部６９ａとの間が覆い部７１によって塞がれるため、前保護カバー５９側の係合爪６４を傾斜部６９ａの係合孔６９ｂに挿入して係合部７０に係合させるにも拘わらず、その係合爪６４の周辺部分からパネル体１６の背後に不正工作部材を挿入して内部機構を不正に操作する等の不正行為を防止することができる。
【００４４】
図１９、図２０は本発明の第３の実施例を例示する。この実施例では、裏押え板６０にその内枠部６０ｂから後方に突出する係合爪６４が設けられている。またパネル体１６の収容凹部６９の上側の傾斜部６９ａの前端側に係合爪６４に対応する係合孔６９ｂと、この係合孔６９ｂの前端から下方に突出し且つ係合爪６４が係脱自在に係合する係合部７０とが形成されている。そして、前保護カバー５９の外枠部５９ｂの後端は、その略全周が前カバー２３の受け縁６６に前側から当接している。他の構成は第１の実施例と同じである。
【００４５】
このよにう裏押え板６０の内枠部６０ｂ側に係合爪６４を形成すれば、前保護カバー５９の外枠部５９ｂの後端の全周を前カバー２３の受け縁６６、又はパネル体１６の収容凹部６９の外周に前側から当接させる等が可能であり、前端外周を含めて収容凹部６９の全体を前保護カバー５９で覆うことができるので、係合孔６９ｂからの不正行為も容易に防止できる。
【００４６】
以上、本発明の実施例について詳述したが、本発明はこの実施例に限定されるものではなく、本発明の趣旨を逸脱しない範囲で種々の変更が可能である。例えば、実施例では装飾パネル２２の形状は緩やかな円弧状としているが、平板状その他、円弧状以外の形状でもよい。また装飾パネル２２の前保護カバー５９と裏押え板６０とを係脱自在に係合する係合手段６３は、実施例に例示の構造以外のものでもよい。更に被係合部６３ｃを有する弾性片６３ｂと係合部６３ｄとにより係合手段６３を構成する場合、その弾性片６３ｂを内枠部６０ｂに、係合部６３ｄを外枠部５９ｂに夫々設けてもよい。
【００４７】
係合突起６１，６２が係合する係合凹部６７は、パネル体１６に形成してもよい。係合突起６１，６２は前保護カバー５９と裏押え板６０との何れか一方、例えば前保護カバー５９側にのみ設けてもよい。係合爪６４は前保護カバー５９に設けることが望ましいが、係合手段６３が十分な係合力を確保できる場合には、前保護カバー５９と裏押え板６０との何れに設けてもよい。また係合爪６４は前カバー２３側に係合するようにしてもよい。装飾パネル２２の上側に係合突起６１，６２を、下側に係合爪６４を設けてもよい。
【００４８】
実施例では上操作パネル部２０に装飾パネル４３を設けた場合を例示しているが、遊技情報その他の表示情報を含まない装飾パネルを設ける場合にも同様に実施可能である。また実施例では操作ボタンとして１ベットボタン２９、マックスベットボタン３０及びキャンセルボタン３１を例示しているが、これら以外の操作ボタンでもよい。１ベットボタン２９、マックスベットボタン３０及びキャンセルボタン３１、投入口手段３３の固定構造は、他のものでもよい。
【００４９】
裏押え板６０の裏側の左右両側の下部に証紙貼付部６０ｅを設け、これに対応して装飾シート５８に、その証紙貼付部６０ｅに貼付された証紙を前側から視認できるように透明な視認窓５８ｅを設けてもよい。
【００５０】
また遊技媒体としてメダルを使用するスロットマシンを例示しているが、メダル以外の遊技媒体を使用するものでもよい。更にパチンコ機その他の弾球遊技機、又はスロットマシン、弾球遊技機以外の遊技機においても同様に実施することが可能である。
【図面の簡単な説明】
【００５１】
【図１】本発明の第１の実施例に係るスロットマシンの全体斜視図である。
【図２】同筐体側の正面図である。
【図３】同パネル体及び前カバーの分解斜視図である。
【図４】前面パネルの下部の分解斜視図である。
【図５】同前カバーの分解斜視図である。
【図６】同前カバーの平面断面図である。
【図７】同メダル投入口手段部分の断面図である。
【図８】同マックスベットボタン部分の断面図である。
【図９】同１ベットボタン部分の断面図である。
【図１０】同装飾パネルの分解斜視図である。
【図１１】同前カバー部分の断面図である。
【図１２】同前カバー部分の断面図である。
【図１３】同装飾パネルの要部の拡大断面図である。
【図１４】同装飾パネルの要部の拡大断面図である。
【図１５】本発明の第２の実施例に係る係合爪周辺部の破断斜視図である。
【図１６】同平面図である。
【図１７】図１６のＸ−Ｘ線断面図である。
【図１８】図１６のＹ−Ｙ線断面図である。
【図１９】本発明の第３の実施例に係る係合爪周辺部の平面断面図である。
【図２０】同側面断面図である。
【符号の説明】
【００５２】
３  前面パネル
２０，２１  操作パネル部
２２  装飾パネル
２３  前カバー
４１  開口部
５８  装飾シート
５９  前保護カバー
５９ｂ  外枠部
６０  裏押え板
６０ｂ  内枠部
６３  係合手段
６３ｂ  弾性片
６３ｃ  被係合部
６３ｄ  係合部
６３ｆ  挿入案内部
６１，６２  係合突起
６４  係合爪
６７  係合凹部
【図１】
2007307292.tif 000003
【図２】
2007307292.tif 000004
【図３】
2007307292.tif 000005
【図４】
2007307292.tif 000006
【図５】
2007307292.tif 000007
【図６】
2007307292.tif 000008
【図７】
2007307292.tif 000009
【図８】
2007307292.tif 000010
【図９】
2007307292.tif 000011
【図１０】
2007307292.tif 000012
【図１１】
2007307292.tif 000013
【図１２】
2007307292.tif 000014
【図１３】
2007307292.tif 000015
【図１４】
2007307292.tif 000016
【図１５】
2007307292.tif 000017
【図１６】
2007307292.tif 000018
【図１７】
2007307292.tif 000019
【図１８】
2007307292.tif 000020
【図１９】
2007307292.tif 000021
【図２０】
2007307292.tif 000022